(57)【要約】【課題】  メインスピーカと、多数の補助スピーカ（アンダーバルコニースピーカ等）から成るスピーカシステムに対して、デジタルミキサの出力チャンネル数が少ない場合においても、補助スピーカ毎に異なる遅延時間を施せるようにする。【解決手段】  デジタルミキサの各出力チャンネルの音声信号は出力パッチ部１２６を介して各出力ポートに対応付けられる。一の出力チャンネルは複数の出力ポートに対応付けることができる。図示の構成では、出力パッチ部１２６の後段において各出力ポート毎にポート遅延部１２７−１〜１２７−２４，１２９−１〜１２９−１６を設けたため、出力チャンネルの数によらず、多数の出力ポート（スピーカ）毎に異なる遅延時間を設定できる。【選択図】  図７
2006253982.tif 000002
【特許請求の範囲】
【請求項１】
複数の入力音声信号を系統毎にミキシングする過程と、
前記各系統におけるミキシング結果に対して音量または音質調整を施し、前記各系統に対応する出力チャンネル信号として出力する出力チャンネル調整過程と、
各々が出力音声信号を出力する出力ポートに対して、前記各出力チャンネルを割り当てる割当過程と、
前記各出力ポート毎に遅延時間を設定するポート遅延時間設定過程と、
前記各出力ポート毎に、前記ポート遅延時間設定過程において設定された遅延時間だけ遅延しつつ、前記各出力ポートから各々対応する前記出力音声信号を出力するポート遅延過程と
を処理装置が実行することを特徴とする音声信号遅延方法。
【請求項２】
前記ポート遅延時間設定過程は、
前記各出力ポートを指標する文字列を各々表示する複数の表示部と、該出力ポート毎に各々対応する前記遅延時間を各々設定するための複数の遅延時間設定部とから成る画像をディスプレイに表示し、該画像上にて前記各遅延時間を設定する過程である
ことを特徴とする請求項１記載の音声信号遅延方法。
【請求項３】
請求項１または２の何れかに記載の音声信号遅延方法を実行することを特徴とする音声信号遅延装置。
【請求項４】
請求項１または２の何れかに記載の音声信号遅延方法を処理装置に実行させることを特徴とするプログラム。
【発明の詳細な説明】
【技術分野】
【０００１】
本発明は、特に多数のスピーカを使用する音響設備に用いて好適なデジタルミキサに用いて好適な音声信号遅延方法、音声信号遅延装置およびプログラムに関する。
【背景技術】
【０００２】
デジタルミキサにおいては、入力チャンネル調整部に設けられた複数のフェーダによって、各入力チャンネルのゲインが設定される。次に、各入力チャンネルの音声信号は出力バスにおいて混合された後、各出力バスに対応する出力チャンネル調整部を介して外部に出力され、アンプ、スピーカを介して放音される。ここで、例えば非特許文献１に記載されたデジタルミキサにおいては、各出力チャンネル調整部には、任意の遅延時間を設定するディレイ部が設けられている。
【０００３】
このディレイ部の使用方法を図８(a)を参照し説明しておく。同図(a)はスタジアム等にスピーカを配置する際の配置例であるが、まず舞台の左右両脇にはメインスピーカ３５０Ｌ，３５０Ｒが設置されている。しかし、客席後方においては、これらメインスピーカ３５０Ｌ，３５０Ｒからの音圧が低下するため、客席の途中に補助用のディレイドスピーカ３５２Ｌ，３５２Ｒが設置される。ここで、メインスピーカ３５０Ｌ，３５０Ｒおよびディレイドスピーカ３５２Ｌ，３５２Ｒが同一のタイミングで音声を放音すると、客席後方の観客においては、最初にディレイドスピーカ３５２Ｌ，３５２Ｒの音が聞こえ、やや遅れてメインスピーカ３５０Ｌ，３５０Ｒの音が聞こえるため、エコーがかかったような音が聞こえるという問題がある。そこで、ディレイドスピーカ３５２Ｌ，３５２Ｒの放音タイミングは音の伝搬時間差相当だけメインスピーカ３５０Ｌ，３５０Ｒの放音タイミングよりも遅らせる必要がある。
【０００４】
【非特許文献１】「ＣＳ１Ｄ  CONTROL SURFACE 取扱説明書」ヤマハ株式会社, 平成１２年１２月
【発明の開示】
【発明が解決しようとする課題】
【０００５】
ところで、キリスト教の教会や、カンファレンス用の会場等の建物においては、建築構造は必ずしも音響に適したものにはなっていないため、客席の各所において良好な音響環境を実現するためには、多数のスピーカを配置する必要が生じる場合がある。その一例を図８(b)に示す。図において３７０Ｌ，３７０Ｒはメインスピーカであり、教会の祭壇上方の天井に固定したセンタークラスタに配置されている。３８０は二階席を形成するバルコニーである。該バルコニー下方の一階席においては、メインスピーカ３７０Ｌ，３７０Ｒからの直接音が届かない場所が多くなる。そこで、バルコニー３８０の下部には多数のアンダーバルコニースピーカ３７２−１〜ｎが環状に配置され、これらによって音量不足が補償されることになる。
【０００６】
しかし、これらアンダーバルコニースピーカは、各々メインスピーカ３７０Ｌ，３７０Ｒからの距離が異なるため、各アンダーバルコニースピーカ毎に異なる遅延時間を設定する必要がある。このため、必要な出力チャンネルの数が非常に多くなり、出力チャンネル数の多い高価なデジタルミキサを使用する必要が生じるという問題があった。さらに、アンダーバルコニースピーカ毎の遅延時間を設定するためには、デジタルミキサに装備されているディスプレイに対応する出力チャンネル毎の設定画面を表示させる必要がある。従って、操作者はかかる設定画面において設定対象となる出力チャンネルを頻繁に切り換える必要があるため、操作が煩雑であった。
この発明は上述した事情に鑑みてなされたものであり、出力チャンネルが少ない場合であっても多数のスピーカに対して各々異なる遅延時間を設定できる音声信号遅延方法、音声信号遅延装置およびプログラムを提供することを第１の目的としている。さらに、かかる遅延時間の設定に対して高い操作性を実現することを第２の目的としている。
【課題を解決するための手段】
【０００７】
上記課題を解決するため本発明にあっては、下記構成を具備することを特徴とする。なお、括弧内は例示である。
請求項１記載の音声信号遅延方法にあっては、複数の入力音声信号を系統毎にミキシングする過程（ＭＩＸバス群１１６，ステレオバス１１８，マトリクスバス群１２３）と、前記各系統におけるミキシング結果に対して音量または音質調整を施し、前記各系統に対応する出力チャンネル信号として出力する出力チャンネル調整過程（１２０，１２２，１２４）と、各々が出力音声信号を出力する出力ポートに対して、前記各出力チャンネルを割り当てる割当過程（出力パッチ部１２６）と、前記各出力ポート毎に遅延時間を設定するポート遅延時間設定過程（３００）と、前記各出力ポート毎に、前記ポート遅延時間設定過程（３００）において設定された遅延時間だけ遅延しつつ、前記各出力ポートから各々対応する前記出力音声信号を出力するポート遅延過程（遅延部１２７，１２９）とを処理装置（１０，１８）が実行することを特徴とする。
さらに、請求項２記載の構成にあっては、請求項１記載の音声信号遅延方法において、前記ポート遅延時間設定過程（３００）は、前記各出力ポートを指標する文字列（出力ポートの番号または名称）を各々表示する複数の表示部（３１２−１〜３１２−２４）と、該出力ポート毎に各々対応する前記遅延時間を各々設定するための複数の遅延時間設定部（３１６−１〜３１６−２４）とから成る画像をディスプレイに表示し、該画像上にて前記各遅延時間を設定する過程であることを特徴とする。
また、請求項３記載の音声信号遅延装置にあっては、請求項１または２の何れかに記載の音声信号遅延方法を実行することを特徴とする。
また、請求項４記載のプログラムにあっては、請求項１または２の何れかに記載の音声信号遅延方法を処理装置（１０，１８）に実行させることを特徴とする。
【発明の効果】
【０００８】
このように、本発明によれば、各出力ポートから出力される出力音声信号に対して、ポート遅延時間設定過程において各々設定された遅延時間を付与するから、出力チャンネルが少ない場合であっても多数のスピーカに対して各々異なる遅延時間を設定できる。さらに、各出力ポートを指標する文字列を各々表示する複数の表示部と、該出力ポート毎に各々対応する遅延時間を各々設定するための複数の遅延時間設定部とから成る画像をディスプレイに表示し、該画像上にて各遅延時間を設定する構成によれば、各遅延時間を一覧しつつ設定できるため、遅延時間の設定に対して高い操作性を実現することができる。
【発明を実施するための最良の形態】
【０００９】
1．実施例の構成
1．1．ハードウエア構成
次に、本発明の一実施例のデジタルミキサ１のハードウエア構成を図１を参照し説明する。
図において４は電動フェーダ群であり、操作者の操作に基づいて各入出力チャンネルの信号レベルを調節する。さらに、電動フェーダ群４は、バスライン１２を介して操作コマンドが供給されると、その操作位置が自動設定されるように構成されている。なお、詳細は後述するが、電動フェーダ群４は、複数の（Ｐ系統の）電動フェーダ２４２−１〜２４２−Ｐ（図２参照）から構成されている。
【００１０】
２はスイッチ群であり、各種のスイッチおよびＬＥＤキーから構成され、ＬＥＤキーに内蔵されたＬＥＤの点滅状態はバスライン１２を介して設定される。６は回転つまみ群であり、各入出力チャンネルの左右の音量バランスを設定する回転つまみ２５０−１〜２５０−Ｐ(図２参照)等から構成されている。そして、これら回転つまみの操作量はバスライン１２を介して出力される。８は波形Ｉ／Ｏ部であり、アナログ音声信号またはデジタル音声信号を入出力する。本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部８においては、アナログ信号とデジタル信号間の変換、複数種類のデジタル信号相互間の変換等の処理が行われる。
【００１１】
次に、１０は信号処理部であり、一群のＤＳＰ（デジタル・シグナル・プロセッサ）によって構成されている。信号処理部１０は、波形Ｉ／Ｏ部８を介して供給されたデジタル音声信号に対してミキシング処理や効果処理を施し、その結果を波形Ｉ／Ｏ部８に出力する。１４は大型表示器であり、例えば「１０２４×７６８」程度の解像度を有するフラットパネルディスプレイによって構成されている。１５は入力装置であり、操作パネル上の各種操作子や、キーボードおよびマウス等から構成され、大型表示器１４上のカーソル移動や該大型表示器１４に表示されたボタンのオンオフ操作等を行う。１６はその他Ｉ／Ｏ部であり、各種の外部機器との間でタイムコードその他の情報を入出力する。１８はＣＰＵであり、後述する制御プログラムに基づいて、バスライン１２を介して各部を制御する。２０はフラッシュメモリであり、その内部のプログラム領域には上記制御プログラムが記憶されている。２２はＲＡＭであり、ＣＰＵ１８のワークメモリとして使用される。
【００１２】
本実施例のミキシングシステムにおいては、当該システムの現在の動作を制御する各種パラメータ（カレントデータ）がＲＡＭ２２の所定領域（カレント領域）に記憶されている。すなわち、スイッチ群２、電動フェーダ群４、回転つまみ群６、入力装置１５を操作することによりカレントデータの内容が更新され、また、該カレントデータに基づいて信号処理部１０におけるミキシング処理や効果処理、大型表示器１４における表示状態、スイッチ群２のＬＥＤの点滅状態、電動フェーダ群４の各フェーダの位置などが制御される。
【００１３】
1．2．実施例のミキシングアルゴリズム構成
1．2．1．全体構成
次に、信号処理部１０等において実現されるアルゴリズムの内容を図３を参照し説明する。なお、当該アルゴリズムは信号処理部１０に設定されるプログラムによって実現されるものであり、該プログラムは、ＣＰＵ１８の制御の下、フラッシュメモリ２０等から信号処理部１０にロードされる。
図３において１０２はアナログ入力部であり、マイクレベルまたはラインレベルのアナログ音声信号を受信すると、これをデジタル音声信号に変換し、信号処理部１０に供給する。１０４はデジタル入力部であり、デジタル音声信号を受信すると、これを信号処理部１０内部のフォーマットに変換する。１２８はアナログ出力部であり、信号処理部１０から供給されたデジタル音声信号をアナログ音声信号に変換し外部に出力する。１３０はデジタル出力部であり、信号処理部１０から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１４】
以上述べた構成は、信号処理部１０とは別体のハードウエアである波形Ｉ／Ｏ部８およびここに介挿される各種カードにより実現されているが、上記以外の構成は信号処理部１０において動作するプログラムによって実現されている。１１２は入力チャンネル調整部であり、操作パネルの電動フェーダおよび操作子の操作に基づいて、最大「２４」チャンネルの入力チャンネルに対して音量・音質等の調整を行う。１１０はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。
【００１５】
１０８は入力パッチ部であり、入力部１０２，１０４等の複数の入力ポートから供給されたデジタル音声信号を、ステレオ入力チャンネル調整部１１０または入力チャンネル調整部１１２の任意の入力チャンネルに割り当てる。１１６はＭＩＸバス群であり、「１２」系統のＭＩＸバスから構成されている。各ＭＩＸバスにおいては、各入力チャンネルおよび各ステレオ入力チャンネル（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベル等も系統毎に独立して設定することができる。１１８はステレオバスであり、上記ＭＩＸバスと同様に構成されている。１２０はステレオ出力チャンネル部であり、該ステレオバスにおけるミキシング結果のレベル調節および音質調節を行なう。１２２はＭＩＸ出力チャンネル部であり、上記各ＭＩＸバスにおけるミキシング結果のレベル調節および音質調節を行なう。
【００１６】
１２３はマトリクスバス群であり、「６」系統のマトリクスバスから構成されている。各マトリクスバスにおいては、ステレオ出力チャンネル部１２０またはＭＩＸ出力チャンネル部１２２の出力信号のうち当該マトリクスバスに供給されたものがミキシングされる。ステレオ出力チャンネル部１２０およびＭＩＸ出力チャンネル部１２２においては、各出力チャンネル毎に、音声信号を各マトリクスバスに供給するか否かを各マトリクスバス毎に設定することができ、供給する場合には各マトリクスバスに対するセンドレベル等も系統毎に独立して設定することができる。１２４はマトリクス出力チャンネル部であり、上記各マトリクスバスにおけるミキシング結果のレベル調節および音質調節を行なう。１２６は出力パッチ部であり、ステレオ出力チャンネル部１２０、ＭＩＸ出力チャンネル部１２２およびマトリクス出力チャンネル部１２４の出力信号を、各出力部１２８，１３０または上記内蔵エフェクタ１０６の任意のチャンネルに割り当てる。１２７，１２９は遅延部であり、出力部１２８，１３０における各出力ポート毎に、遅延時間を設定する。
【００１７】
1．2．2．入力チャンネル部
次に、入力チャンネル調整部１１２におけるアルゴリズム構成の詳細を図４を参照し説明する。図において１１２−ｎは第ｎ入力チャンネル調整部であり、第ｎ入力チャンネル（１≦ｎ≦２４）における音質・音量調整を行う。その内部において１５０は音質調整部であり、第ｎ入力チャンネルにおけるリミッタ処理、コンプレッサ処理、イコライザ処理等を行う。１５２はチャンネル遅延部であり、必要に応じて第ｎ入力チャンネルの音声信号を遅延させる。１５４は音量調整部であり、第ｎ入力チャンネルの音声信号のゲインを調節する。１５６はオンオフ切換部であり、第ｎ入力チャンネル全体のオンオフを切り換える。
【００１８】
１６２−１〜１６２−１２は信号切換部であり、第ｎ入力チャンネルから「１２」系統のＭＩＸバスに各々出力され得る音声信号を「プリフェード」または「ポストフェード」のうち一方から選択する。すなわち、「プリフェード」が選択されると、チャンネル遅延部１５２の出力信号が選択され、「ポストフェード」が選択されるとオンオフ切換部１５６の出力信号が選択される。１６４−１〜１６４−１２はセンドレベル調節部であり、各ＭＩＸバスに出力する信号のゲインすなわちセンドレベルを調節する。１６６−１〜１６６−１２はセンドオンオフ切換部であり、各ＭＩＸバスに対する音声信号供給のオン／オフ状態を設定する。１５８はステレオセンドオンオフ切換部であり、第ｎ入力チャンネルの音声信号をステレオバス１１８に供給するか否かを切り換える。１６０はＰＡＮ設定部であり、該音声信号をステレオバス１１８に供給する際の左右の音量バランスを設定する。
【００１９】
1．2．3．出力チャンネル部
次に、ステレオ出力チャンネル部１２０、ＭＩＸ出力チャンネル部１２２およびマトリクス出力チャンネル部１２４におけるアルゴリズム構成の詳細を図５を参照し説明する。図５において１２２−ｍは第ｍＭＩＸ出力チャンネル部であり、第ｍＭＩＸ出力チャンネル（１≦ｍ≦１２）における音質・音量調整を行う。その内部において１８０は音質調整部であり、第ｍＭＩＸ出力チャンネルにおけるリミッタ処理、コンプレッサ処理、イコライザ処理等を行う。１８２は音量調整部であり、該出力チャンネルの出力ゲインを調節する。１８４はオンオフ切換部であり、第ｍＭＩＸ出力チャンネルのオン／オフ状態を切り換える。１８６はチャンネル遅延部であり、オンオフ切換部１８４を介して出力された音声信号を必要に応じて遅延する。
【００２０】
１８８は信号切換部であり、第ｍＭＩＸ出力チャンネルから「６」系統のマトリクスバスに出力され得る音声信号を「プリフェード」または「ポストフェード」のうち一方から選択する。すなわち、「プリフェード」が選択されると、音質調整部１８０の出力信号が選択され、「ポストフェード」が選択されるとオンオフ切換部１８４の出力信号が選択される。１８９−１〜１８９−６はセンドレベル調節部であり、各マトリクスバスに出力する信号のゲインすなわちセンドレベルを調節する。また、ステレオ出力チャンネル部１２０は、上記第ｍＭＩＸ出力チャンネル部１２２−ｍを２系統設けたものと同様に構成されている。
【００２１】
また、１２４−ｋは第ｋマトリクス出力チャンネル部であり、第ｋマトリクス出力チャンネル（１≦ｋ≦６）における音質・音量調整を行う。その内部において１９０は音質調整部であり、第ｋマトリクス出力チャンネルにおけるリミッタ処理、コンプレッサ処理、イコライザ処理等を行う。１９２は音量調整部であり、該出力チャンネルの出力ゲインを調節する。１９４はオンオフ切換部であり、該出力チャンネルのオン／オフ状態を切り換える。１９６はチャンネル遅延部であり、オンオフ切換部１９４を介して出力された音声信号を必要に応じて遅延する。
【００２２】
1．2．4．出力パッチ部等
次に、出力パッチ部１２６、遅延部１２７，１２９および出力部１２８，１３０におけるアルゴリズム構成の詳細を図６を参照し説明する。図において１２８−１〜１２８−２４はアナログ出力部１２８を構成する「２４」系統のＤＡコンバータであり、アナログ出力信号の各出力ポート毎に設けられている。デジタル出力部１３０は「１６」の出力ポートから構成されている。出力パッチ部１２６においては、上記各出力チャンネル部１２０，１２２，１２４における各出力チャンネルが、上記出力部１２８，１３０の何れかの出力ポートに割り当てられる。ここでは、一の出力チャンネルを複数の出力ポートに対して割り当てることができる。かかる場合には、該出力チャンネルによる同一の音声信号が出力パッチ部１２６から複数系統出力されることになる。１２７−１〜１２７−２４は遅延部１２７を構成するポート遅延部であり、１２９−１〜１２９−１６は遅延部１２９を構成するポート遅延部である。これらポート遅延部は各出力ポート毎に設けられ、各出力ポートに対する出力信号を、各々独立した遅延時間だけ遅延させる。
【００２３】
1．3．パネル構成
次に、デジタルミキサ１の操作パネルの外観構成を図２を参照し説明する。
上述したように、デジタルミキサ１は「２４」入力チャンネルを有しているが、これら入力チャンネルは「１２」チャンネルづつの「２」レイヤに分割される。また、「１２」ＭＩＸ出力チャンネルは「１」レイヤ（マスタレイヤ）にまとめられている。２０４，２０６，２０８はレイヤ・キーであり、これら何れかのレイヤを択一的に選択する。また、これらキーにはＬＥＤが内蔵され、選択されているレイヤに係るＬＥＤが点灯状態にされる。なお、本明細書においてその他「キー」の名称が付されている構成要素には、全てＬＥＤが内蔵されており、当該キーに係るパラメータがオン状態になると、そのＬＥＤが点灯状態になる。２２０〜２２６はカーソルキーであり、大型表示器１４上に表示されたカーソルを上下左右方向に移動する。２３０はインクリメントキー、２３２はデクリメントキーであり、カーソル位置に表示された数値等を増減する。２３４はＥＮＴＥＲキーであり、カーソル位置に表示された数値等を確定する。
【００２４】
また、２４０−１〜２４０−Ｐはチャンネルストリップであり、各チャンネルストリップは選択されたレイヤに属する入出力チャンネル、およびレイヤの選択状態にかかわらず操作が必要なステレオ出力チャンネル等に割り当てられる。チャンネルストリップ２４０−１の内部において、２４２−１は電動フェーダであり、対応する入出力チャンネルの音量を調節する。すなわち該チャンネルストリップが入力チャンネルに割当てられているならば、電動フェーダ２４２−１は該入力チャンネルに係る音量調整部１５４(図４参照)のゲインを調節する。２４４−１はオン／オフ・キーであり、対応する入出力チャンネルのオンオフ切換部１５６におけるオン／オフ状態を設定する。２４６−１はソロ・キーであり、対応する入出力チャンネルの音声信号を操作者のモニタ用のソロバス（図示せず）に供給するか否かを切り替える。また、２４８−１はＳＥＬキーであり、チャンネルストリップ２４０−１に係る入出力チャンネルを択一的に「選択状態」に設定する。
【００２５】
ここで「選択状態」とは、音質調整部１５０や信号切換部１６２−１〜１６２−１２等に対する詳細な設定を行うべきチャンネルとして選択された状態の意である。また、２５０−１は回転つまみであり、該チャンネルストリップ２４０−１が入力チャンネルに割当てられている場合には、当該入力チャンネルのＰＡＮ設定部１６０における左右の音量バランスを設定する。そして、他のチャンネルストリップにおいても、チャンネルストリップ２４０−１と同様に、電動フェーダ、オン／オフ・キー、ソロ・キー、ＳＥＬキーおよび回転つまみが各々設けられている。
【００２６】
2．実施例の動作
2．1．設定画面の表示
デジタルミキサにおいて操作者が所定の操作を行うと、ＣＰＵ１８の制御の下、図７に示す遅延時間設定画面３００が表示される。
図において３０２，３０４は遅延モード選択スイッチであり、「遅延モード」なる動作モードとして「チャンネル遅延モード」または「ポート遅延モード」のうち一方を選択する。ここで、チャンネル遅延モードとは、各出力チャンネル部１２０，１２２，１２４内のチャンネル遅延部１８６，１９６等（図５参照）を有効化し、出力パッチ部１２６後段の遅延部１２７，１２９を無効化する（遅延時間を強制的に「０秒」に設定する）動作モードであり、逆にポート遅延モードとは、各出力チャンネル部１２０，１２２，１２４内のチャンネル遅延部１８６，１９６等を無効化し、出力パッチ部１２６後段の遅延部１２７，１２９を有効化する動作モードである。
【００２７】
３０６，３０８は遅延部選択スイッチであり、遅延部１２７，１２９のうち一方を選択する。なお、遅延部選択スイッチ３０６，３０８は、遅延モード選択スイッチ３０２，３０４によってポート遅延モードが選択されている場合のみ有効になるスイッチである。３１０はフィールド部であり、遅延モード選択スイッチ３０２，３０４および遅延部選択スイッチ３０６，３０８によって選択された出力チャンネルまたは出力ポートに対する遅延時間等を設定する。フィールド部３１０の内部において３１２−１〜３１２−２４は番号表示部であり、操作対象となる出力チャンネルまたは出力ポートの番号を表示する。図示の例においては、遅延モード選択スイッチ３０２，３０４によってポート遅延モードが選択され、遅延部選択スイッチ３０６，３０８によってアナログ出力部１２８に対応する遅延部１２７が選択されているから、番号表示部３１２−１〜３１２−２４にはＤＡコンバータ１２８−１〜１２８−２４のポート番号「１」〜「２４」が順次表示される。
【００２８】
次に、３１４−１〜３１４−２４は相手側表示部であり、操作対象となる出力チャンネルまたは出力ポートに対して、出力パッチ部１２６によって対応付けられている相手側の出力ポートまたは出力チャンネルの番号が表示される。すなわち、フィールド部３１０における操作対象が「出力ポート」であれば、図示のように、相手側表示部３１４−１〜３１４−２４には、対応する出力チャンネル番号が表示される。一方、フィールド部３１０における操作対象が「出力チャンネル」であれば、相手側表示部３１４−１〜３１４−２４には、対応する出力ポート番号が表示されることになる。３１６−１〜３１６−２４は遅延時間設定部であり、操作対象となる出力チャンネルまたは出力ポートに係る遅延時間を設定および表示する。図示の例においては、ＤＡコンバータ１２８−１〜１２８−２４に各々対応するポート遅延部１２７−１〜１２７−２４における遅延時間が表示されている。なお、操作者は、カーソルキー２２０〜２２６を用いて遅延時間設定部３１６−１〜３１６−２４のうち所望のものにカーソルを動かし、インクリメントキー２３０およびデクリメントキー２３２を操作することによって遅延時間を任意に設定することができる。
【００２９】
以上のように本実施例によれば、遅延モードとしてチャンネル遅延モードまたはポート遅延モードを任意に選択できるため、各出力チャンネルまたは各出力ポートのうち、スピーカ等の構成状態等に応じた最適な箇所に遅延を施すことができる。特に、ポート遅延モードが選択された場合には、同一の出力チャンネルの信号に対して、出力ポートの数だけ異なる遅延時間を施すことができる。そして、かかる出力ポートに接続されているスピーカの位置を変更したりスピーカの種類を変更しない限り、各ポートに係る遅延時間を変更する必要が無いため、当該スピーカに供給すべき出力チャンネルを変更したとしても、遅延時間を再設定する必要がなくなる。
【００３０】
3．変形例
本発明は上述した実施例に限定されるものではなく、例えば以下のように種々の変形が可能である。
(1)上記各実施例においては、番号表示部３１２−１〜３１２−２４および相手側表示部３１４−１〜３１４−２４に表示されたものは出力チャンネルまたは出力ポートの番号であったが、これら番号に代えて出力チャンネルまたは出力ポートの「名称」すなわち操作者によって命名された任意の文字列等を表示するようにしてもよい。
【００３１】
(2)上記実施例においては、デジタルミキサ１内の信号処理部１０またはＣＰＵ１８において動作するプログラムによって遅延時間の設定等を実行したが、このプログラムのみをＣＤ−ＲＯＭ、フレキシブルディスク等の記録媒体に格納して頒布し、あるいは伝送路を通じて頒布することもできる。
【図面の簡単な説明】
【００３２】
【図１】本発明の一実施例のデジタルミキサ１のブロック図である。
【図２】デジタルミキサ１の操作パネルの要部の平面図である。
【図３】デジタルミキサ１のアルゴリズムの全体ブロック図である。
【図４】デジタルミキサ１のアルゴリズムの要部のブロック図である。
【図５】デジタルミキサ１のアルゴリズムの要部のブロック図である。
【図６】デジタルミキサ１のアルゴリズムの要部のブロック図である。
【図７】大型表示器１４に表示される遅延時間設定画面３００を示す図である。
【図８】スピーカの配置例を示す図である。
【符号の説明】
【００３３】
１：デジタルミキサ、２：スイッチ群、４：電動フェーダ群、６：回転つまみ群、８：波形Ｉ／Ｏ部、１０：信号処理部、１２：バスライン、１４：大型表示器、１５：入力装置、１６：その他Ｉ／Ｏ部、１８：ＣＰＵ、２０：フラッシュメモリ、２２：ＲＡＭ、１０２：アナログ入力部、１０４：デジタル入力部、１０６：内蔵エフェクタ、１０８：入力パッチ部、１１０：ステレオ入力チャンネル調整部、１１２：入力チャンネル調整部、１１２−ｎ：第ｎ入力チャンネル調整部、１１６：ＭＩＸバス群、１１８：ステレオバス、１２０：ステレオ出力チャンネル部、１２２：ＭＩＸ出力チャンネル部、１２２−ｍ：第ｍＭＩＸ出力チャンネル部、１２３：マトリクスバス群、１２４：マトリクス出力チャンネル部、１２４−ｋ：第ｋマトリクス出力チャンネル部、１２６：出力パッチ部、１２７，１２９：遅延部、１２７−１〜１２７−２４：ポート遅延部、１２８：アナログ出力部、１２８−１〜１２８−２４：ＤＡコンバータ、１２９−１〜１２９−１６：ポート遅延部、１３０：デジタル出力部、１５０：音質調整部、１５２：チャンネル遅延部、１５４：音量調整部、１５６：オンオフ切換部、１５８：ステレオセンドオンオフ切換部、１６０：ＰＡＮ設定部、１６２−１〜１６２−１２：信号切換部、１６４−１〜１６４−１２：センドレベル調節部、１６６−１〜１６６−１２：センドオンオフ切換部、１８０：音質調整部、１８２：音量調整部、１８４：オンオフ切換部、１８６：チャンネル遅延部、１８９−１〜１８９−６：センドレベル調節部、１９０：音質調整部、１９４：オンオフ切換部、２０４，２０６，２０８：レイヤ・キー、２２０〜２２６：カーソルキー、２３０：インクリメントキー、２３２：デクリメントキー、２３４：ＥＮＴＥＲキー、２４０−１〜２４０−Ｐ：チャンネルストリップ、２４２−１〜２４２−Ｐ：電動フェーダ、２４４−１〜２４４−Ｐ：オン／オフ・キー、２４６−１〜２４６−Ｐ：ソロ・キー、２４８−１〜２４８−Ｐ：ＳＥＬキー、２５０−１〜２５０−Ｐ：回転つまみ、３００：遅延時間設定画面、３０２，３０４：遅延モード選択スイッチ、３０６，３０８：遅延部選択スイッチ、３１０：フィールド部、３１２−１〜３１２−２４：番号表示部、３１４−１〜３１４−２４：相手側表示部、３１６−１〜３１６−２４：遅延時間設定部、３５０Ｌ，３５０Ｒ：メインスピーカ、３５２Ｌ，３５２Ｒ：ディレイドスピーカ、３７０Ｌ，３７０Ｒ：メインスピーカ、３７２−１〜ｎ：アンダーバルコニースピーカ、３８０：バルコニー。
【図１】
2006253982.tif 000003
【図２】
2006253982.tif 000004
【図３】
2006253982.tif 000005
【図４】
2006253982.tif 000006
【図５】
2006253982.tif 000007
【図６】
2006253982.tif 000008
【図７】
2006253982.tif 000009
【図８】
2006253982.tif 000010